(57)【要約】【課題】受信周波数範囲が異なる複数の受信地域において、ハードウエアを変更することなく良好なトラッキング特性が得られるラジオ受信機を提供することである。【解決手段】加算手段２９ではＰＬＬ回路２３の出力ＶＲとＭＰＵ２７から与えられるトラッキング補正信号ＴＲとが加算され、受信同調回路４１の可変容量ダイオードＤ１に印加される。これによって、トラッキング補正が行われる。前記ＴＲはトラッキング調整時に得られるトラッキング周波数ｆ０での補正値ＴＲ（ｆ０）と、仕向け地別、受信周波数帯別に予測された予測補正量Ｃとの和であり、メモリ３１に格納される。これにより、トラッキング周波数から離れた数端数においても、良好なトラッキング特性が得られる。【選択図】　　　図１
2004104396.tif 000002
【特許請求の範囲】
【請求項１】
第１の可変容量ダイオードにより同調周波数が制御される受信同調回路と、該受信同調回路が接続される高周波増幅回路と、第２の可変容量ダイオードにより同調周波数が制御される局部発信同調回路と、該局部発信同調回路が接続される局部発信回路と、前記局部発信回路の出力に応じた周波数の信号と基準信号との位相に応じた信号を前記第２の可変容量ダイオードに与えるＰＬＬ（ｐｈａｓｅ　ｌｏｃｋｅｄ　ｌｏｏｐ）回路と、前記高周波増幅回路の出力と前記局部発信回路の出力とを混合して中間周波信号を出力するミキサ回路と、仕向け地又は受信地域を選択する仕向け地切替えスイッチとを備えたラジオ受信機において、
受信地域及び受信周波数帯に応じたトラッキング補正情報を記憶するメモリと、前記ＰＬＬ回路の出力を前記トラッキング補正情報に応じて補正して前記第１の可変容量ダイオードに与える補正手段とをさらに備えて、
受信時には、前記補正手段の出力を前記第１の可変容量ダイオードに印加して、トラッキング補正をすることを特徴とするラジオ受信機。
【請求項２】
前記トラッキング補正情報は、トラッキング周波数でトラッキング調整をして実測した実測補正値と、受信周波数帯ごとに予め予測された予測補正量とを含むことを特徴とする請求項１記載のラジオ受信機。
【請求項３】
前記補正手段は、前記ＰＬＬ回路の出力と、前記実測補正値と、前記予測補正量との加算結果を出力する加算手段であることを特徴とする請求項２記載のラジオ受信機。
【請求項４】
トラキング調整において前記実測補正値を得る際に、前記加算手段で前記ＰＬＬの出力と加算する補正値を掃引させて、トラッキング周波数と前記受信同調回路の同調周波数とが一致する補正値を前記実測補正値とし、前記メモリに格納することを特徴とする請求項３記載のラジオ受信機。
【発明の詳細な説明】
【０００１】
【発明の属する技術分野】
本発明は、チューナのトラッキング装置を有するラジオ受信機に関し、具体的には、放送周波数帯の異なる複数の受信地域において良好なトラッキング特性を有するラジオ受信機に関する。
【０００２】
【従来の技術】
受信周波数が異なる複数の地域で使用できるようにした従来のラジオ受信機では、仕向け地域パターン毎の受信周波数範囲および放送局周波数間隔をメモリに格納して、受信時にその情報をメモリから呼び出して使用する。（例えば、特許文献１参照）
また、局部発振周波数が受信周波数より高い地域と、低い地域とで共通に使用できるようにした従来のラジオ受信機では、局部発振同調回路又は受信同調回路で共振周波数に関係する容量（コンデンサ）の値や、容量の接続を受信地域に応じて変更して、いずれの受信地域でも良好なトラッキング特性が得られるようにしている。（例えば、特許文献２参照）
【０００３】
【特許文献１】
特開２００２−１６４７６８号公報
【特許文献２】
特開平５−３２７５４６号公報
【０００４】
図８は従来のラジオ受信機を例示するブロック図である。以下、図８に示すラジオ受信機３０がＦＭ放送を受信するラジオ受信機である場合を例にして説明する。図８に示すラジオ受信機３０において、受信同調回路４３は、受信アンテナのコイルＬ３の１次側にトリマコンデンサＣ４とバリキャップ（可変容量ダイオード）Ｄ３とが、高周波では並列に接続され、バリキャップＤ３の陰極にはＰＬＬ回路２３から同調電圧ＶＴが印加される。抵抗Ｒ１とコンデンサＣ１とでローパスフィルタ（ＬＰＦ）を構成する。
局部発振回路１８の一部である局部発振同調回路４４では、局部発振同調回路４２のコイルＬ４の１次側にコンデンサＣ６とバリキャップ（可変容量ダイオード）Ｄ４とが、高周波では並列に接続される。バリキャップＤ４の陰極にはＰＬＬ回路２３から同調電圧ＶＴが印加される。抵抗Ｒ３とコンデンサＣ３とでローパスフィルタ（ＬＰＦ）を構成する。
【０００５】
受信同調回路４３のコイルＬ３の２次側はＲＦ増幅回路１１に接続され、ＲＦ増幅回路１１の出力はミキサ回路１３に与えられる。局部発振同調回路４４のコイルＬ４の２次側は局部発振回路１８内の発振器に接続されている。局部発振回路１８の出力は可変分周器２２で分周され、ＰＬＬ回路２３に与えられる。可変分周器２２の分周比は受信周波数に応じてＭＰＵ（マイクロプロセッサ）２７から与えられる。ＰＬＬ回路２３では、可変分周器２２の出力と基準発振器２５の出力との位相比較が行われ、両者の位相差に応じた同調電圧ＶＴが、抵抗Ｒ１を介して可変容量ダイオードＤ３に与えられ、抵抗Ｒ３を介してバリキャップＤ４に与えられる。
【０００６】
前記ミキサ回路１３では、局部発振回路１８の出力周波数ｆ３とＲＦ増幅回路１１の出力周波数ｆ２との差分周波数ｆ１（（ｆ３−ｆ２）または（ｆ２−ｆ３））を有する中間周波数信号が生成され、その出力はＩＦ増幅回路（中間周波増幅回路）１５に与えられる。ＩＦ増幅回路１５の出力は検波回路１７に与えられ、検波回路１７ではＦＭ検波が行われる。検波回路１７から後の回路は図示が省略されているが、検波回路１７の出力は、増幅器を介してスピーカに印加される。
【０００７】
ＭＰＵ２７には仕向け地切替スイッチ３３が接続されている。前記仕向け地切替スイッチ３３はラジオ受信機の操作者が受信地域を切替えるための切替えスイッチである。また、前記仕向け地切替スイッチ３３はラジオ受信機の製造工程でトラッキング調整を行うときに仕向け地を切替えるための切替スイッチともなっている。ＭＰＵ２７は仕向け地切替スイッチ３３で選択されている受信地域に応じた受信周波数に対応する分周比を可変分周器２２に与える。仕向け地切替スイッチ３３で選択可能な仕向け地は、例えば欧州、米国、日本、東欧である。
【０００８】
上記のごとく構成されたラジオ受信機３０では、局部発振回路１８の出力周波数ｆ３は前記受信周波数ｆ２と中間周波数ｆ１との和又は差の周波数とされ、ｆ３は（ｆ２±ｆ１）となる。そして前記局部発振回路１８の出力周波数ｆ３は、可変分周器２２とＰＬＬ回路２３と局部発振同調回路４４とを含む周波数制御ループにより制御される。すなわち、ＰＬＬ回路２３から出力される同調電圧ＶＴによってバリキャップＤ４の容量が制御されることにより、局部発振回路１８の発振周波数は、可変分周器２２の分周比と基準発振器２５の周波数とで決定される周波数に制御される。
【０００９】
一方、受信同調回路４３の同調周波数はアンテナコイルＬ３の１次側のインダクタンスとトリマコンデンサＣ４の容量とバリキャップＤ３の容量とで決定され、バリキャップＤ３の容量はＰＬＬ回路２３から与えられる同調電圧ＶＴにより制御される。
ＦＭ放送受信機の例では、ミキサ回路１３から出力される中間周波数信号の周波数ｆ１は例えば１０．７ＭＨｚとされ、一定である。また受信周波数がｆ２であるとすると、局部発振回路１８の出力周波数は（ｆ２＋ｆ１）又は（ｆ２−ｆ１）に制御される。この場合に、受信同調回路４３の同調周波数が前記受信周波数ｆ２と一致していないと、トラキングエラーが生じ、受信感度が低下するという問題がある。このため、所定周波数帯域内のあらゆる受信周波数において、受信周波数ｆ２と受信同調回路４３の同調周波数とが一致するように、１又は複数のトラッキング周波数においてトラッキング調整が行われる。
【００１０】
トラッキング調整はラジオ受信機の製造過程で概ね下記のように実施される。まず、仕向け地切替スイッチ３３を日本に切り替える。そして、（１）受信周波数を８４ＭＨｚにして、同調電圧ＶＴがＰＬＬ回路２３の電源電圧ＶＣＣの略１／２になるように、局部発振同調回路４４のコイルＬ４を調整する。（２）次にアンテナコイルＬ３受信周波数を日本におけるＦＭ放送の比較的高い周波数ｆｊ１（例えば８６．５ＭＨｚ）に設定し、この周波数ｆｊ１でミキサ回路１３の出力レベルがピークとなるようにアンテナコイルＬ３を調整する。さらに、（３）受信周波数を日本におけるＦＭ放送の比較的低い周波数ｆｊ２（例えば７９．５ＭＨｚ）に設定し、この周波数ｆｊ２でミキサ回路１３の出力レベルがピークとなるようにトリマコンデンサＣ４を調整する。前記した（２）アンテナコイルＬ３の調整、（３）トリマコンデンサＣ４の調整は数回繰り返して行われる。
【００１１】
【発明が解決しようとする課題】
前記した従来のラジオ受信機の調整方法によれば、日本におけるＦＭ放送の周波数帯域に合わせてトラッキング調整が行われるため、当該ラジオ受信機が日本において使用される場合はトラッキングエラーの問題はない。日本以外の仕向け地へ出荷された場合、または日本以外の受信地域で使用された場合には、操作者が仕向け地切替スイッチ３３を受信地域に合わせて切り替えることにより、受信周波数はその受信地域に対応したものにすることが出来る。しかし、仕向け地により受信周波数の帯域が異なるために、前記した高周波回路のトラッキングエラーが大きくなり、受信感度が低下し易いという問題がある。
【００１２】
図９は仕向け地別のＦＭ放送受信周波数範囲を示す図である。図９において、日本における受信周波数ｆ２の範囲は７６．０ＭＨｚ〜９０ＭＨｚ、中間周波数ｆ１は１０．７ＭＨｚ、局部発振周波数ｆ３の範囲は６５．３ＭＨｚ〜７９．３ＭＨｚである。放送周波数は１００ＫＨｚおきに割り当てられている。
東欧における受信周波数範囲は６５．０〜７４．０ＭＨｚであり、日本のそれと比較して低く、欧州における受信周波数範囲は８７．５〜１０８．０ＭＨｚ、米国における受信周波数範囲は８７．９〜１０７．９ＭＨｚであり、日本のそれと比較して高い。また、日本及び東欧では、ｆ３は（ｆ２−ｆ１）であり、欧州及び米国ではｆ３は（ｆ２＋ｆ１）である。
【００１３】
一般にトラッキングエラーは、受信周波数がトラッキングエラーの調整点（トラッキング周波数）からずれるに従って次第に増加する。このために、日本の受信周波数範囲に合わせてトラッキング調整された受信機を用いて、図９に示す日本以外の仕向け地で受信した場合には、トラッキング周波数から離れた周波数範囲で受信感度が低下し易いという問題があった。また、この問題を解決するためには、受信地域に応じて同調回路の部品定数や接続を変更する必要があった。
【００１４】
本発明は前記課題に鑑みてなされたものであり、その目的は、受信周波数範囲が異なる複数の受信地域において、ハードウエアを変更することなく良好なトラッキング特性が得られるラジオ受信機を提供することである。
【００１５】
【課題を解決するための手段】
本発明における第１の発明は、第１の可変容量ダイオードにより同調周波数が制御される受信同調回路と、該受信同調回路が接続される高周波増幅回路と、第２の可変容量ダイオードにより同調周波数が制御される局部発信同調回路と、該局部発信同調回路が接続される局部発信回路と、前記局部発信回路の出力に応じた周波数の信号と基準信号との位相に応じた信号を前記第２の可変容量ダイオードに与えるＰＬＬ（ｐｈａｓｅ　ｌｏｃｋｅｄ　ｌｏｏｐ）回路と、前記高周波増幅回路の出力と前記局部発信回路の出力とを混合して中間周波信号を出力するミキサ回路と、仕向け地又は受信地域を選択する仕向け地切替えスイッチとを備えたラジオ受信機において、受信地域及び受信周波数帯に応じたトラッキング補正情報を記憶するメモリと、前記ＰＬＬ回路の出力を前記トラッキング補正情報に応じて補正して前記第１の可変容量ダイオードに与える補正手段とをさらに備えて、受信時には、前記補正手段の出力を前記第１の可変容量ダイオードに印加して、トラッキング補正をするようにしたラジオ受信機である。
【００１６】
第２の発明は、第１の発明のラジオ受信機において、前記トラッキング補正情報は、トラッキング周波数でトラッキング調整をして実測した実測補正値と、受信周波数帯ごとに予め予測された予測補正量とを含むようにしたラジオ受信機である。
【００１７】
第３の発明は、第２の発明のラジオ受信機において、前記補正手段は、前記ＰＬＬ回路の出力と、前記実測補正値と、前記予測補正量との加算結果を出力する加算手段であるようにしたラジオ受信機である。
【００１８】
第４の発明は、第３の発明のラジオ受信機において、トラキング調整によって前記実測補正値を得る際に、前記加算手段で前記ＰＬＬの出力と加算する補正値を掃引させて、トラッキング周波数と前記受信同調回路の同調周波数とが一致する補正値を前記実測補正値とし、前記メモリに格納するようにしたラジオ受信機である。
【００１９】
【発明の実施の形態】
以下、本発明の実施の形態について説明する。本発明のラジオ受信機は、放送の周波数範囲が異なる複数の受信地域において、ＲＦ同調回路の部品の定数や接続を変更することなく、良好なトラッキング特性を有するようにした受信機であり、受信同調回路の可変容量ダイオードに与える同調電圧の補正値を、仕向け地ごとに、受信周波数帯ごとに予めメモリに記憶させておき、受信時には、受信地域と受信周波数に応じて前記メモリに格納した補正値を呼び出して、前記可変容量ダイオードに与えることにより、仕向け地及び受信周波数によらず良好なトラッキング特性を得る。
【００２０】
以下、本発明の実施例について、図と共に説明する。図１は本発明ラジオ受信機の一実施例を示すブロック図である。図１に示すラジオ受信機１０と図８に示すラジオ受信機３０とで、同一構成で同一作用の要素には同一の符号を付し、その説明を省略することがある。以下、ラジオ受信機１０がＦＭ放送を受信するラジオ受信機である場合を例にして説明する。
図１に示すラジオ受信機１０において、受信同調回路４１は、受信アンテナのコイルＬ１の１次側にコンデンサＣ２とバリキャップ（可変容量ダイオード）Ｄ１とが高周波では並列に接続され、バリキャップＤ１の陰極には補正された同調電圧ＶＨが加算手段２９から与えられる。
【００２１】
局部発振回路１９の一部である局部発振同調回路４２では、局部発振同調回路４２のコイルＬ２の１次側にコンデンサＣ５とバリキャップ（可変容量ダイオード）Ｄ２とが高周波では並列に接続される。バリキャップＤ２の陰極にはＰＬＬ回路２３から同調電圧ＶＲが印加される。
受信同調回路４１のコイルＬ１の２次側はＲＦ増幅回路１１に接続され、ＲＦ増幅回路１１の出力はミキサ回路１３に与えられる。局部発振同調回路４２のコイルＬ２の２次側は局部発振回路１９内の発振器に接続されている。局部発振回路１９は周波数を１／２又は１／３に分周する分周回路を含み、局部発振回路１９で分周された信号は可変分周器２１でさらに分周され、ＰＬＬ回路２３に与えられる。
【００２２】
ＭＰＵ２７にはトラッキング補正情報を格納するメモリ３１と、補正手段２９と、仕向け地切替スイッチ３３とが接続される。前記補正手段２９は例えば複数の信号を加算する加算手段である。また、前記トラッキング補正情報は、受信地域及び受信周波数帯に応じたトラッキング補正データを含む。前記トラッキング補正データは後述するように、例えば、トラッキング周波数でトラッキング調整をして実測した実測補正値ＴＲ（ｆ０）と、受信周波数帯ごとに予め予測された予測補正量Ｃとを含む。
【００２３】
ＭＰＵ２７はトラッキング補正値ＴＲをメモリ３１から読みだして加算手段２９に与える。前記トラッキング補正信号ＴＲは前記実測補正値ＴＲ（ｆ０）と前記予測補正量Ｃとの和の信号である。ＴＲ加算手段２９はＰＬＬ回路２３から出力される同調電圧ＶＲと前記トラッキング補正信号ＴＲとを加算し、その加算結果であるＶＨを、補正後の同調電圧として抵抗Ｒ１を介して可変容量ダイオードＤ１に与える。
【００２４】
ＭＰＵ２７は仕向け地切替スイッチ３３で設定された仕向け地又は受信地域を認識して局部発振回路１９に与える。局部発振回路１９に内蔵する分周回路の分周比は、仕向け地切替スイッチ３３で設定された仕向け地又は受信地域に応じて１／２又は１／３に設定され、その出力は可変分周器２１に与えられる。可変分周器２１の分周比は操作者が行った選局に応じて変更され、分周比はＭＰＵ２７から可変分周器２１に与えられる。
【００２５】
ＰＬＬ回路２３では、可変分周器２１の出力と基準発振器２５の出力との位相比較が行われ、両者の位相差に応じた同調電圧ＶＲが、抵抗Ｒ３を介して可変容量ダイオードＤ２に与えられるとともに、加算手段２９にも与えられる。加算手段２９の出力ＶＨは抵抗Ｒ１を介してバリキャップＤ１に与えられる。
前記ミキサ回路１３では、局部発振回路１９の出力周波数ｆ３とＲＦ増幅回路１１の出力周波数ｆ２との差分周波数ｆ１＝（ｆ３−ｆ２）またはｆ１＝（ｆ２−ｆ３）を有する中間周波数信号が生成され、その出力はＩＦ増幅回路１５に与えられる。
【００２６】
以下、本発明におけるトラッキング調整の方法について説明する。
図２は本発明に係るトラッキング調整の一例を示すフローチャートである。図２のフローチャートで示すトラッキング調整はラジオ受信機の製造工程で行われる調整である。
図２において、ステップＳ１１では仕向け地切替スイッチ３３を日本に設定してステップＳ１３へ進む。ステップＳ１３では、受信周波数を７７．５ＭＨｚに設定し、ＰＬＬ回路２３の出力がＰＬＬ回路２３の電源電圧Ｖｃｃの例えば１／２になるよう、局部発振同調回路４２のコイルＬ２を調整してステップＳ１５へ進む。
【００２７】
ステップＳ１５では、受信周波数を７９．０ＭＨｚにして、加算手段２９に与えるトラッキング補正信号ＴＲを掃引して、受信同調回路４１の同調周波数が７９．０ＭＨｚとなるＴＲを求め、トラッキング調整時の補正値ＴＲ（７９．０）としてメモリ３１に格納してステップＳ１７へ進む。ステップＳ１７では、受信周波数を８５．０ＭＨｚにし、補正信号ＴＲを掃引して受信同調回路４１の同調周波数が８５．０ＭＨｚとなるＴＲを求め、ＴＲ（８５．０）としてメモリ３１に格納してステップＳ１９へ進む。ステップＳ１９では、仕向け地切替スイッチ３３により仕向け地を東欧に切替え、受信周波数を７０．０１ＭＨｚにして、受信同調回路４１の同調周波数が７０．０１ＭＨｚとなるＴＲを求め、ＴＲ（７０．０１）としてメモリ３１に格納してステップＳ２１へ進む。
【００２８】
ステップＳ２１では、仕向け地を欧州又は米国に切替え、受信周波数を９２．５ＭＨｚにして、受信同調回路４１の同調周波数が９２．５ＭＨｚとなるＴＲを求め、ＴＲ（９２．５）としてメモリ３１に格納してステップＳ２３進む。ステップＳ２３では、受信周波数を１０２．５ＭＨｚにして、受信同調回路４１の同調周波数が１０２．５ＭＨｚとなるＴＲを求め、ＴＲ（１０２．５）としてメモリ３１に格納してこのフローを終了する。
【００２９】
図３は前記ステップＳ１３で調整された後の、同調電圧ＶＲと局部発振回路１９の発振器の発信周波数ｆ４との関係を示す図である。局部発振回路１９に内蔵される分周回路の分周比は、受信地域が欧州／米国である場合には１／２とされ、日本、東欧である場合は１／３とされる。したがって、受信地域が欧州の場合には局部発振回路１９に内蔵される発振器の発振周波数ｆ４の範囲は１９６．４〜２３７．４ＭＨｚとなり、受信地域が米国の場合には発振周波数ｆ４の範囲は１９７．２〜２３７．２ＭＨｚ、受信地域が日本である場合には発振周波数ｆ４の範囲は１９５．９〜２３７．９ＭＨｚとなり、受信地域が東欧である場合には発振周波数ｆ４の範囲は１６２．９〜１８９．９ＭＨｚとなる。このように、受信地域に応じて局部発振回路１９の分周比を切替えることにより、発振周波数ｆ４の最大周波数と最小周波数との比を小さくすることが出来る。
【００３０】
また、仕向け地が日本で、且つ受信周波数ｆ２が７７．５Ｈｚのとき、局部発振周波数ｆ４は、（７７．５−１０．７）×３＝２００．４ＭＨｚであり、この周波数においてＰＬＬ回路２３の出力が例えばＶｃｃ／２になるように、前記ステップＳ１３でのトラッキング調整が行われる。図３に示す例は、ＰＬＬ回路２３の電源電圧Ｖｃｃが８ボルトの場合の例である。
【００３１】
図７は、本発明に係るトラッキング補正の一例を示すフローチャートである。図７のフローチャートで示すトラッキング補正は、操作者がラジオ受信機でＦＭ放送の受信周波数を設定した場合や、受信地域を切替えた場合に行われる。
図７において、ステップＳ３１では受信地域に対応するトラッキング補正表をメモリ３１から読み出してステップＳ３３へ進む。ステップＳ３３では、受信周波数が設定されたか否かを判別し、設定されていればステップＳ３５へ進む。ステップＳ３５では仕向け地切替スイッチ３３で設定されている受信地域に応じて局部発振回路１９の分周比を切替え、受信周波数ｆ２に応じて可変分周器２１の分周比を切替えて、ステップＳ３７へ進む。
【００３２】
ステップＳ３７では、設定されている受信周波数ｆ２を含む周波数帯に対応するトラッキング補正値ＴＲ（ｆ０）をメモリ３１から読み出してステップＳ３９へ進む。ステップＳ３９では、受信周波数ｆ２に対応するトラッキング補正量（予測補正量）Ｃをメモリ３１から読み出してステップＳ４１へ進む。ステップＳ４１では、加算手段２９により、補正後の同調電圧ＶＨとして（ＶＲ＋ＴＲ（ｆ０）＋Ｃ）に相当する電圧を得てステップＳ４３へ進む。ステップＳ４３では、得られた補正後の同調電圧ＶＨを可変容量ダイオードＤ１に与えてこのフローを終了する。
【００３３】
次に、メモリ３１に格納するトラッキング補正表について説明する。前記トラッキング補正表は仕向け地ごとに用意され、各仕向け地に対応するトラッキング補正表は、受信周波数帯ごとに予め予測されたトラッキングの補正量Ｃを表すものである。
図４は受信地域が日本である場合に適用されるトラッキング補正表を示す図であり、図５は受信地域が東欧である場合に適用されるトラッキング補正表を示す図であり、図６は受信地域が欧州／米国である場合に適用されるトラッキング補正表を示す図である。
【００３４】
図４において、受信周波数範囲７６．０〜９０．０ＭＨｚは複数の周波数帯に分けられる。この例ではほ等周波数間隔で７の周波数帯に分割されている。ある受信周波数ｆ２の放送を受信する場合は、受信周波数ｆ２が属する周波数帯を検出し、該周波数帯に対応するトラッキング補正値ＴＲ（ｆ０）と予測補正量Ｃとを用いてトラッキング補正が行われる。
前記トラッキング補正値ＴＲ（ｆ０）は、受信周波数ｆ０において、トラッキングエラーがなくなるように調整したときのトラッキング補正信号ＴＲの値であり、ＴＲ（７９．０）は図２に示すステップＳ１５で得られた値である。また、ＴＲ（８５．０）はステップＳ１７で得られた値である。予測補正量Ｃは、仕向け地ごとに、且つ周波数帯ごとに予め設計段階で定められた予測補正量である。加算手段２９で補正された後の同調電圧ＶＨは加算手段２９から抵抗Ｒ１を介して可変容量ダイオードＤ１に与えられる電圧であり、ＶＨは（ＶＲ＋ＴＲ（ｆ０）＋Ｃ）である。
【００３５】
図４において、例えば、受信周波数が７６．０ＭＨｚ〜８１．９ＭＨｚの場合は、トラッキング周波数７９．０ＭＨｚで実測されたトラッキング補正値ＴＲ（７９．０）が用いられる。また、例えば受信周波数が７８．０〜７９．９ＭＨｚでは、補正後の同調電圧ＶＨは（ＶＲ＋ＴＲ（７９．０））であり、例えば、受信周波数が７６．０〜７７．９ＭＨｚでは、補正後の同調電圧ＶＨは（ＶＲ＋ＴＲ（７９．０）＋ｐ１）である。ここにｐ１は仕向け地が日本で、受信周波数が７６．０〜７７．９ＭＨｚの場合に適用される予測補正量Ｃの値である。同様に、例えば、受信周波数が８０．０〜８１．９ＭＨｚでは、補正後の同調電圧ＶＨは（ＶＲ＋ＴＲ（７９．０）＋ｐ２）である。
【００３６】
さらに、受信周波数が８２．０ＭＨｚ〜９０．０ＭＨｚの場合は、トラッキング周波数８５．０ＭＨｚで実測されたトラッキング補正値ＴＲ（８５．０）が用いられる。ｑ１、ｑ２、ｑ３は、図４に示すそれぞれの周波数帯において適用される予測補正量Ｃの値である。
図５は受信地域が東欧である場合に適用されるトラッキング補正表であり、トラッキング周波数７０．０１ＭＨｚで実測されたトラッキング補正値ＴＲ（７０．０１）が全ての受信周波数帯で用いられ、いずれの受信周波数の場合も、ＶＨは（ＶＲ＋ＴＲ（７０．０１）＋Ｃ）である。ｒ１〜ｒ４は同図に示す周波数帯ごとに予め予測された予測補正量Ｃの値である。
【００３７】
図６は受信地域が欧州又は米国である場合に適用されるトラッキング補正表であり、受信周波数が８７．５０〜９７．４５ＭＨｚではトラッキング周波数９２．５ＭＨｚで実測されたトラッキング補正値ＴＲ（９２．５）がトラッキング補正値ＴＲ（ｆ０）として用いられる。受信周波数が９７．５〜１０８．０ＭＨｚではトラッキング周波数１０２．５ＭＨｚで実測されたトラッキング補正値ＴＲ（１０２．５）がトラッキング調整値ＴＲ（ｆ０）として用いられる。
【００３８】
前記２つのトラッキング周波数を含む２つの周波数帯以外では、周波数帯ごとに予測された予測補正値ｘ１〜ｘ４、又はｙ１〜ｙ５のいずれか一つの予測補正値を用いてＶＨが生成され、抵抗Ｒ１を介して可変容量ダイオードＤ１に与えられる。例えば、受信周波数が８７．５〜８９．４５ＭＨｚではトラッキング周波数９２．５ＭＨｚで実測されたトラッキング補正値ＴＲ（９２．５）がトラッキング調整値ＴＲ（ｆ０）として用いられ、可変容量ダイオードＤ１に印加されるＶＨの値は、（ＶＲ＋ＴＲ（９２．５）＋ｘ１）である。
【００３９】
以上詳述したように、本発明を適用した実施の形態によれば、ラジオ受信機の仕向け地別にトラッキング補正情報をメモリに格納しておき、前記各トラッキング補正情報が受信周波数帯ごとに予測されたトラッキングの予測補正量Ｃを含むようにする。そして、ラジオ受信機の製造工程では、仕向け地ごとに１〜２のトラッキング周波数においてトラッキング調整を行い、そのときのトラッキング補正値ＴＲ（ｆ０）を前記トラッキング補正情報の一部として前記メモリに格納する。受信時には、ＰＬＬ回路の出力ＶＲと前記トラッキング補正値ＴＲ（ｆ０）と前記予測補正量Ｃとの加算値を、受信同調回路４１の可変容量ダイオードＤ１に与えるようにして、トラッキング補正を行う。
【００４０】
このようにして、トラッキング調整及びトラッキング補正を行うことにより、受信周波数範囲が異なる複数の仕向け地に対して、同一のラジオ受信機を出荷することが出来るから、製造が効率よく行われる。また、受信周波数範囲が異なる複数の受信地域において、高周波回路の部品の接続や定数を切替えることなく、トラッキング周波数から離れた受信周波数においても良好なトラッキング特性を得ることが出来、この結果、いずれの受信周波数においても高い受信感度を得ることが出来る。
【図面の簡単な説明】
【図１】本発明ラジオ受信機の要部を示すブロック図である。
【図２】本発明に係るトラッキング調整の一例を示すフローチャートである。
【図３】前記ステップＳ１３で調整された後の、同調電圧ＶＲと局部発振回路１９の発振周波数ｆ４との関係を示す図である。
【図４】受信地域が日本である場合に適用されるトラッキング補正表を示す図である。
【図５】受信地域が東欧である場合に適用されるトラッキング補正表を示す図である。
【図６】受信地域が欧州／米国である場合に適用されるトラッキング補正表を示す図である。
【図７】本発明に係るトラッキング補正の一例を示すフローチャートである。
【図８】従来のラジオ受信機の要部を示すブロック図である。
【図９】仕向け地別のＦＭ放送受信周波数範囲を示す図である。
【符号の説明】
１１　　ＲＦ増幅回路
１３　　ミキサ回路
１５　　ＩＦ増幅回路
１７　　検波回路
１９　　局部発振回路
２１　　可変分周器
２３　　ＰＬＬ回路
２５　　基準発振器
２７　　ＭＰＵ（マイクロプロセッサ）
２９　　加算手段（補正手段）
３１　　メモリ
３３　　仕向け地切替スイッチ
４１　　受信同調回路
４２　　局部発振同調回路
Ｃ２、Ｃ５　　コンデンサ
Ｃ４　　トリマコンデンサ
Ｄ１、Ｄ２　　可変容量ダイオード
Ｌ１　　受信アンテナのコイル
Ｌ２　　局部発振同調回路のコイル
【図１】
2004104396.tif 000003
【図２】
2004104396.tif 000004
【図３】
2004104396.tif 000005
【図４】
2004104396.tif 000006
【図５】
2004104396.tif 000007
【図６】
2004104396.tif 000008
【図７】
2004104396.tif 000009
【図８】
2004104396.tif 000010
【図９】
2004104396.tif 000011